(57)【要約】【課題】左眼用液晶シャッタと右眼用液晶シャッタとの判別が容易で、高生産性の眼鏡用液晶シャッタセット及びその製造方法を提供する。【解決手段】実施形態によれば、左右の一方の眼用の第１液晶シャッタと、左右の他方の眼用第２液晶シャッタと、を備えた眼鏡用液晶シャッタセットが提供される。第１液晶シャッタは、第１基板部と、第２基板部と、第１基板部と第２基板部との間に設けられ、第１液晶層を含む第１中間部と、を含む。第２液晶シャッタは、第３基板部と、第４基板部と、第３基板部と第４基板部との間に設けられ、第２液晶層を含む第２中間部と、を含む。第１基板部及び第２基板部の少なくともいずれかは、第３基板部及び第４基板部の少なくともいずれかに対して非対称な部分を有する、並びに、第１中間部は、第２中間部に対して非対称な部分を有する、の少なくともいずれかである。【選択図】図１
2012088369.tif 000002
【特許請求の範囲】
【請求項１】
第１基板部と、
第２基板部と、
前記第１基板部と前記第２基板部との間に設けられ、第１液晶層を含む第１中間部と、
を含む左右の一方の眼用の第１液晶シャッタと、
第３基板部と、
第４基板部と、
前記第３基板部と前記第４基板部との間に設けられ、第２液晶層を含む第２中間部と、
を含む左右の他方の眼用の第２液晶シャッタと、
を備え、
前記第１基板部及び前記第２基板部の少なくともいずれかは、前記第３基板部及び前記第４基板部の少なくともいずれかに対して非対称な部分を有する、並びに、
前記第１中間部は、前記第２中間部に対して非対称な部分を有する、
の少なくともいずれかであることを特徴とする眼鏡用液晶シャッタセット。
【請求項２】
前記第１基板部は、前記第２基板部に対向する第１主面に設けられた第１電極を有し、  前記第２基板部は、前記第１基板部に対向する第２主面に設けられた第２電極を有し、
前記第１中間部は、前記第１基板部と前記第２基板部との間において前記第１液晶層の周囲に設けられた第１シールを有し、
前記第３基板部は、前記第４基板部に対向する第３主面に設けられた第３電極を有し、  前記第４基板部は、前記第３基板部に対向する第４主面に設けられた第４電極を有し、
前記第２中間部は、前記第３基板部と前記第４基板部との間において前記第２液晶層の周囲に設けられた第２シールを有し、
前記第１電極及び前記第２電極の少なくともいずれかの形状は、前記第３電極及び前記第４電極の少なくともいずれかの形状と非対称である、並びに、
前記第１シールの形状は、前記第２シールの形状と非対称である、
の少なくともいずれかであることを特徴とする請求項１記載の眼鏡用液晶シャッタセット。
【請求項３】
前記第１中間部及び前記第２中間部の少なくともいずれかは、中間部識別マークをさらに含み、前記中間部識別マークは、前記第１中間部と前記第２中間部とで異なることを特徴とする請求項１または２に記載の眼鏡用液晶シャッタセット。
【請求項４】
第１基板部と、第２基板部と、前記第１基板部と前記第２基板部との間に設けられ、第１液晶層と第１中間部材とを含む第１中間部と、を有する左右の一方の眼用の第１液晶シャッタと、第３基板部と、第４基板部と、前記第３基板部と前記第４基板部との間に設けられ、第２液晶層と第２中間部材とを含む第２中間部と、を有する左右の他方の眼用の第２液晶シャッタと、を有する眼鏡用液晶シャッタセットの製造方法であって、
それぞれが前記第１基板部の一部となる複数の第１層と、それぞれが前記第３基板部及び前記第４基板部の一方の一部となる複数の第３層と、が設けられた第１元基板の第１主面に、前記第１層に対応する位置に前記第１中間部材を形成し、前記第３層に対応する位置に前記第２中間部材を形成する工程と、
それぞれが前記第２基板部の一部となる複数の第２層と、それぞれが前記第３基板部及び前記第４基板部の他方の一部となる複数の第４層と、が設けられた第２元基板の第２主面と、前記第１主面と、を対向させて、前記第１主面と前記第２主面との間に前記第１液晶層と前記第２液晶層となる液晶材料を導入する工程と、
前記第１元基板及び前記第２元基板を分断して、前記第１基板部、前記第２基板部、前記第３基板部及び前記第４基板部を形成する工程と、
を備え、
前記第１層の形状と前記第１中間部材の形状との差異と、前記第３層の形状と前記第２中間部材の形状との差異と、は互いに異なる、
前記中間部材の形状と、前記第２中間部材の形状と、は互いに非対称である、並びに、
前記第１基板部及び前記第２基板部の少なくともいずれかの外形と、前記第３基板部及び前記第４基板部の少なくともいずれかの外形と、は互いに非対称である、
の少なくともいずれかであることを特徴とする眼鏡用液晶シャッタセットの製造方法。
【請求項５】
前記第１中間部材は、前記第１液晶層の周囲に配置される第１シールを含み、
前記第２中間部材は、前記第２液晶層の周囲に配置される第２シールを含み、
前記第１シールのパターン形状は、前記第２シールのパターン形状と非対称な部分を有することを特徴とする請求項４記載の眼鏡用液晶シャッタセットの製造方法。
【請求項６】
前記第１中間部材は、第１導電部材を含み、
前記第２中間部材は、第２導電部材を含み、
前記第１導電部材のパターン形状は、前記第２導電部材のパターン形状と非対称な部分を有することを特徴とする請求項４または５に記載の眼鏡用液晶シャッタセットの製造方法。
【発明の詳細な説明】
【技術分野】
【０００１】
本発明の実施形態は、眼鏡用液晶シャッタセット及びその製造方法に関する。
【背景技術】
【０００２】
表示装置に広く実用化されている液晶は、電気信号によって透光性を制御できる機能を利用して、透光性と遮光性とを制御するシャッタとしても応用されている。
【０００３】
例えば、娯楽、教育、放送、医療などの分野への実用化が進んでいる立体視システムにおいて、左右眼の視差に対応した左眼用像と右眼用像とを、左右眼にそれぞれ時分割で呈示するシャッタ眼鏡に、液晶が用いられる。
【０００４】
液晶シャッタ眼鏡は、左眼用及び右眼用の一対の液晶シャッタを有する。左眼用の液晶シャッタの外形と、右眼用の液晶シャッタの外形と、は互いに類似していることが多い。このため、左右を間違えることがある。
【０００５】
なお、基板の表裏を目視により区別するために、液晶セルの透明基板に形成された透明電極と隣接する透明基板端面上に識別マークが形成され、電極と識別マークとで透明基板上に形成されたパターンが非対称形である液晶素子が知られている。
【０００６】
しかしながら、液晶シャッタ眼鏡のように、外形が類似している一対の液晶シャッタを簡単に判別するための技術はこれまで知られていない。立体視システムを広く普及するためには、液晶シャッタ眼鏡を高効率に生産することが不可欠であり、このためには、左眼用液晶シャッタと右眼用液晶シャッタとの判別を簡単に行い、生産性を向上することが必要である。
【先行技術文献】
【特許文献】
【０００７】
【特許文献１】特開平８−２３４２１９号公報
【発明の概要】
【発明が解決しようとする課題】
【０００８】
本発明の実施形態は、左眼用液晶シャッタと右眼用液晶シャッタとの判別が容易で、高生産性の眼鏡用液晶シャッタセット及びその製造方法を提供する。
【課題を解決するための手段】
【０００９】
本発明の実施形態によれば、第１液晶シャッタと、第２液晶シャッタと、を備えた眼鏡用液晶シャッタセットが提供される。前記第１液晶シャッタは、左右の一方の眼用であり、前記第２液晶シャッタは、左右の他方の眼用である。  
前記第１液晶シャッタは、第１基板部と、第２基板部と、前記第１基板部と前記第２基板部との間に設けられ、第１液晶層を含む第１中間部と、を含む。  
前記第２液晶シャッタは、第３基板部と、第４基板部と、前記第３基板部と前記第４基板部との間に設けられ、第２液晶層を含む第２中間部と、を含む。  
前記第１基板部及び前記第２基板部の少なくともいずれかは、前記第３基板部及び前記第４基板部の少なくともいずれかに対して非対称な部分を有する、並びに、前記第１中間部は、前記第２中間部に対して非対称な部分を有する、の少なくともいずれかである。
【図面の簡単な説明】
【００１０】
【図１】第１の実施形態に係る眼鏡用液晶シャッタセットの構成の概要を例示する模式的斜視図である。
【図２】第１の実施形態に係る眼鏡用液晶シャッタセットを用いた液晶シャッタ眼鏡の構成を例示する模式的斜視図である。
【図３】第１の実施形態に係る眼鏡用液晶シャッタセットの構成を例示する模式的斜視図である。
【図４】第１の実施形態に係る眼鏡用液晶シャッタセットの構成を例示する模式的断面図である。
【図５】第２の実施形態に係る眼鏡用液晶シャッタセットの構成の概要を例示する模式的斜視図である。
【図６】第２の実施形態に係る眼鏡用液晶シャッタセットの構成を例示する模式的断面図である。
【図７】第３の実施形態に係る眼鏡用液晶シャッタセットの構成の概要を例示する模式的斜視図である。
【図８】第４の実施形態に係る眼鏡用液晶シャッタセットの構成の概要を例示する模式的斜視図である。
【図９】第５の実施形態に係る眼鏡用液晶シャッタセットの製造方法を例示する模式的斜視図である。
【図１０】第５の実施形態に係る眼鏡用液晶シャッタセットの製造方法を例示する模式的斜視図である。
【発明を実施するための形態】
【００１１】
以下に、各実施の形態について図面を参照しつつ説明する。  
なお、図面は模式的または概念的なものであり、各部分の厚みと幅との関係、部分間の大きさの比係数などは、必ずしも現実のものと同一とは限らない。また、同じ部分を表す場合であっても、図面により互いの寸法や比係数が異なって表される場合もある。  
また、本願明細書と各図において、既出の図に関して前述したものと同様の要素には同一の符号を付して詳細な説明は適宜省略する。
【００１２】
（第１の実施の形態）
図１は、第１の実施形態に係る眼鏡用液晶シャッタセットの構成の概要を例示する模式的斜視図である。  
図２は、第１の実施形態に係る眼鏡用液晶シャッタセットを用いた液晶シャッタ眼鏡の構成を例示する模式的斜視図である。  
図３（ａ）及び図３（ｂ）は、第１の実施形態に係る眼鏡用液晶シャッタセットの構成を例示する模式的斜視図である。  
すなわち、図３（ａ）は、第１液晶シャッタ１０１を例示し、図３（ｂ）は、第２液晶シャッタ１０２を例示している。  
図４（ａ）及び図４（ｂ）は、第１の実施形態に係る眼鏡用液晶シャッタセットの構成を例示する模式的断面図である。  
すなわち、図４（ａ）は、図１のＡ１−Ａ２線断面図であり、図４（ｂ）は図１のＢ１−Ｂ２線断面図である。
【００１３】
図１に表したように、本実施形態に係る眼鏡用液晶シャッタセット１０は、左右の一方の眼用の第１液晶シャッタ１０１と、左右の他方の眼用の第２液晶シャッタ１０２と、を備える。
【００１４】
例えば、第１液晶シャッタ１０１及び第２液晶シャッタ１０２のいずれか一方が左眼用であり、第１液晶シャッタ１０１及び第２液晶シャッタ１０２のいずれか他方が右眼用である。第１液晶シャッタ１０１及び第２液晶シャッタ１０２における左右の関係は、入れ替えが可能である。以下では、第１液晶シャッタ１０１が左眼用であり、第２液晶シャッタ１０２が右眼用であるものとして説明する。ただし、以下の記述は、第１液晶シャッタ１０１が右眼用であり、第２液晶シャッタ１０２が左眼用である場合にも適用できる。
【００１５】
第１液晶シャッタ１０１は、第１基板部１１０と、第２基板部１２０と、第１基板部１１０と第２基板部１２０との間に設けられ、第１液晶層１５１を含む第１中間部１５０と、を含む。図１に表したように、第１中間部１５０は、第１液晶層１５１を封止する第１シール１５２をさらに含む。
【００１６】
第２液晶シャッタ１０２は、第３基板部１３０と、第４基板部１４０と、第３基板部１３０と第４基板部１４０との間に設けられ、第２液晶層１６１を含む第２中間部１６０と、を含む。図１に表したように、第２中間部１６０は、第２液晶層１６１を封止する第２シール１６２をさらに含む。
【００１７】
そして、本実施形態に係る眼鏡用液晶シャッタセット１０においては、第１基板部１１０及び第２基板部１２０の少なくともいずれかは、第３基板部１３０及び第４基板部１４０の少なくともいずれかに対して非対称な部分を有する、並びに、第１中間部１５０は、第２中間部１６０に対して非対称な部分を有する、の少なくともいずれかである。  
本具体例では、第１中間部１５０は、第２中間部１６０に対して非対称な部分を有する。
【００１８】
これにより、左眼用液晶シャッタ（例えば第１液晶シャッタ１０１）と、右眼用液晶シャッタ（第２液晶シャッタ１０２）との判別が容易で、高生産性の眼鏡用液晶シャッタセットが提供できる。
【００１９】
図２に表したように、眼鏡用液晶シャッタセット１０は、液晶シャッタ眼鏡２０に用いられる。液晶シャッタ眼鏡２０は、眼鏡用液晶シャッタセット１０の第１液晶シャッタ１０１及び第２液晶シャッタ１０２と、第１液晶シャッタ１０１及び第２液晶シャッタ１０２を保持する保持部３０１と、を有する。
【００２０】
保持部３０１は、例えば、第１液晶シャッタ１０１を保持する左側フレーム３１０と、第２液晶シャッタ１０２を保持する右側フレーム３２０と、を有する。保持部３０１は、さらに、左側耳かけ部３１１と、右側耳かけ部３２１と、を有する。なお、本具体例では、左側フレーム３１０と右側フレーム３２０とは、連結部３３０によって連結されている。なお、連結部３３０は必要に応じて設けられ、例えば、左側フレーム３１０と右側フレーム３２０とが一体的に形成されている場合には、連結部３３０は省略される。
【００２１】
保持部３０１は、第１液晶シャッタ１０１が観視者の左眼に対向し、第２液晶シャッタ１０２が観視者の右眼に対向するように、第１液晶シャッタ１０１及び第２液晶シャッタ１０２をそれぞれ保持する。
【００２２】
すなわち、第１液晶シャッタ１０１及び第２液晶シャッタ１０２は、保持部３０１の中心線３０１ａに対して実質的に対称に配置される。そして、例えば、第１液晶シャッタ１０１の外形と、第２液晶シャッタ１０２の外形と、は、互いに鏡面対称（例えば中心線３０１ａに対して対称）である。
【００２３】
液晶シャッタ眼鏡２０は、第１液晶シャッタ１０１及び第２液晶シャッタ１０２を介して、観視者の左右の眼が図示しないディスプレイに相対するよう装着される。ディスプレイは、右眼および左眼に対応した画像を交互に切り替えて表示する。液晶シャッタ眼鏡２０においては、ディスプレイの表示に同期して、第１液晶シャッタ１０１及び第２液晶シャッタ１０２が交互に透光状態および遮光状態となる。このように、液晶シャッタ眼鏡２０は、右眼用像と左眼用像とを時分割的に観視する方式を実現する。
【００２４】
図３（ａ）及び図４（ａ）に表したように、第１基板部１１０は、第１基板１１１と、第１基板１１１の主面に設けられた第１電極１１２と、第１基板１１１の第１電極１１２とは反対の側に設けられた第１光学フィルム１１５と、を有する。第１光学フィルム１１５は、例えば偏光フィルム（偏光板）を含む。第１光学フィルム１１５は、偏光フィルムと第１基板１１１との間に設けられた種々の位相差フィルムをさらに含むことができる。
【００２５】
また、第２基板部１２０は、第２基板１２１と、第２基板１２１の主面に設けられた第２電極１２２と、第２基板１２１の第２電極１２２とは反対の側に設けられた第２光学フィルム１２５と、を有する。第２光学フィルム１２５は、例えば偏光フィルム（偏光板）を含むことができる。第２光学フィルム１２５は、偏光フィルムと第２基板１２１との間に設けられた種々の位相差フィルムをさらに含むことができる。
【００２６】
図４（ａ）に表したように、第１基板部１１０は、第１電極１１２の上に設けられた第１配向膜１１３をさらに含むことができる。また、第２基板部１２０は、第２電極１２２の上に設けられた第２配向膜１２３をさらに含むことができる。
【００２７】
そして、第１基板部１１０と第２基板部１２０との間（すなわち、第１配向膜１１３と第２配向膜１２３との間）に、第１液晶層１５１が設けられる。第１基板部１１０と第２基板部１２０との間において、第１液晶層１５１を囲むように、第１シール１５２が設けられる。
【００２８】
図３（ｂ）及び図４（ｂ）に表したように、第３基板部１３０は、第３基板１３１と、第３基板１３１の主面に設けられた第３電極１３２と、第３基板１３１の第３電極１３２とは反対の側に設けられた第３光学フィルム１３５と、を有する。第３光学フィルム１３５は、例えば偏光フィルム（偏光板）を含むことができる。第３光学フィルム１３５は、偏光フィルムと第３基板１３１との間に設けられた種々の位相差フィルムをさらに含むことができる。
【００２９】
また、第４基板部１４０は、第４基板１４１と、第４基板１４１の主面に設けられた第４電極１４２と、第４基板１４１の第４電極１４２とは反対の側に設けられた第４光学フィルム１４５と、を有する。第４光学フィルム１４５は、例えば偏光フィルム（偏光板）を含むことができる。第４光学フィルム１４５は、偏光フィルムと第４基板１４１との間に設けられた種々の位相差フィルムをさらに含むことができる。
【００３０】
図４（ｂ）に表したように、第３基板部１３０は、第３電極１３２の上に設けられた第３配向膜１３３をさらに含むことができる。また、第４基板部１４０は、第４電極１４２の上に設けられた第４配向膜１４３をさらに含むことができる。
【００３１】
そして、第３基板部１３０と第４基板部１４０との間（すなわち、第３配向膜１３３と第４配向膜１４３との間）に、第２液晶層１６１が設けられる。第３基板部１３０と第４基板部１４０との間において、第２液晶層１６１を囲むように、第２シール１６２が設けられる。
【００３２】
第１、第２、第３及び第４光学フィルム１１５、１２５、１３５及び１４５は、２軸性の光学フィルムや、負の光学異方性を有する光学フィルムなどを含むことができる。第１、第２、第３及び第４光学フィルム１１５、１２５、１３５及び１４５は、それぞれ、第１、第２、第３及び第４基板１１１、１２１、１３１及び１４１に粘着材などで貼り付けられる。
【００３３】
第１、第２、第３及び第４基板１１１、１２１、１３１及び１４１には、眼鏡用液晶シャッタセット１０において透光及び遮光の動作の対象となる可視光に対して透光性を有するガラスや樹脂などが用いられる。また、第１、第２、第３及び第４電極１１２、１２２、１３２及び１４２には、可視光に対して透光性を有する、例えばＩＴＯ（Indium Tin Oxide）やＺｎＯなどの透明導電膜を用いることができる。
【００３４】
第１液晶層１５１及び第２液晶層１６１は、例えばπセル（スプレイ配列セル）を応用したＯＣＢ（Optically  Compensated  Bend）型液晶層を含むことができる。ＯＣＢ型液晶層においては、液晶のベンド配列を利用することで、液晶シャッタに適した高速応答が得られる。
【００３５】
この場合には、図３（ａ）及び図３（ｂ）に表したように、第１基板１１１における液晶配列方向１１１ａと、第２基板１２１における液晶配列方向１２１ａと、は、互いに平行である。液晶配列方向１１１ａ及び液晶配列方向１２１ａは、例えば、第１配向膜１１３及び第２配向膜１２３のそれぞれのラビング方向である。
【００３６】
また、第１光学フィルム１１５の光軸１１５ａは、例えば水平方向である。そして、第２光学フィルム１２５の光軸１２５ａは、例えば垂直方向である。
【００３７】
また、第３基板１３１における液晶配列方向１３１ａと、第４基板１４１における液晶配列方向１４１ａと、は、互いに平行である。液晶配列方向１３１ａ及び液晶配列方向１４１ａは、例えば、第３配向膜１３３及び第４配向膜１４３のそれぞれのラビング方向である。
【００３８】
また、第３光学フィルム１３５の光軸１３５ａは、例えば水平方向である。そして、第４光学フィルム１４５の光軸１４５ａは、例えば垂直方向である。
【００３９】
図３（ａ）及び図３（ｂ）に表したように、第１液晶シャッタ１０１の外形と、第２液晶シャッタ１０２の外形と、は、互いに鏡面対称の関係を有している。このため、第１液晶シャッタ１０１を第１基板部１１０の方向からみたときの形状は、第２液晶シャッタ１０２を第４基板部１４０の方向から見たときに形状と一致する。このため、第１液晶シャッタ１０１及び第２液晶シャッタ１０２を液晶シャッタ眼鏡２０の保持部３０１に組み込むときに、左右を間違え易い。例えば、表裏の向きを反転させれば、左眼用に設計されている第１液晶シャッタ１０１を、保持部３０１の右側フレーム３２０にセットする間違いが発生する可能性がある。
【００４０】
また、第１基板１１１と第２基板１２１とを対向させて、その間に第１液晶層１５１を封入した後に、第１基板１１１と第２基板１２１とに、それぞれ第１光学フィルム１１５及び第２光学フィルム１２５を貼付する工程において、第１光学フィルム１１５と外見が似ている第４光学フィルム１４５を第１基板１１１に貼付し、第２光学フィルム１２５と外見が似ている第３光学フィルム１３５を第２基板１２１に貼付する間違いが発生する可能性がある。
【００４１】
このように、液晶シャッタ眼鏡２０に用いられる眼鏡用液晶シャッタセット１０においては、左右の液晶シャッタを取り違える可能性がある。この問題は、従来着目されていない。  
すなわち、液晶を用いた表示ディスプレイなどにおいては、液晶表示パネルが種々の電子機器などに実装される。このとき、例えば１つの液晶表示パネルがその電子機器に実装される。また、例えば複数の液晶表示パネルに実装される場合においても、例えば同じ外形で同じ仕様の複数の液晶表示パネルが電子機器に実装される。または、異なる外形の複数の液晶表示パネルが電子機器に実装される。このため、間違った液晶表示パネルを電子機器に実装する不良は発生しなかった。
【００４２】
これに対し、液晶シャッタ眼鏡２０においては、左右の目に対応した、外形が類似した一対の液晶シャッタが用いられる。一対の液晶シャッタにおいては、例えば、左眼用液晶シャッタと右眼用液晶シャッタとで鏡面対称の外形が適用される。このため、一方の液晶シャッタの表裏を反転すると、他方の液晶シャッタの外形と重なる。
【００４３】
このように、液晶シャッタ眼鏡２０に用いられる一対に液晶シャッタにおいては、特に、左眼用と右眼用との判別が難しいことが新たな問題として認識された。すなわち、液晶シャッタ眼鏡２０においては、左右のフレームに、左右を間違った液晶シャッタをセットする間違いや、基板に光学フィルムを貼付するときの間違いが発生しやすいことが判明した。  
本実施形態の構成は、このように液晶シャッタ眼鏡２０において新たに発生する課題に着目して構築されたものである。
【００４４】
すなわち、図１に例示したように、本実施形態に係る眼鏡用液晶シャッタセット１０においては、第１中間部１５０が、第２中間部１６０に対して非対称な部分を有することで、このような間違いの発生が抑制できる。なお、第１中間部１５０に設けられる上記の非対称な部分は、第２中間部１６０と相対的な関係であるので、第２中間部１６０が、第１中間部１５０に対して非対称な部分を有しても良い。
【００４５】
なお、本具体例では、第１中間部１５０が第２中間部１６０に対して非対称な部分を有する例であるが、第１基板部１１０及び第２基板部１２０の少なくともいずれかが、第３基板部１３０及び第４基板部１４０の少なくともいずれかに対して非対称な部分を有していても良い。この例については後述する。
【００４６】
図１に例示したように、本具体例では、第１中間部１５０に含まれる第１シール１５２の形状が、第２中間部１６０に含まれる第２シール１６２の形状に対して非対称である。具体的には、第１シール１５２に設けられる注入口（第１注入口１５２ａ）の位置が、第２シール１６２に設けられ注入口（第２注入口１６２ａ）の位置と非対称である。  
すなわち、第１シール１５２の形状は、第２シール１５２の形状と非対称である。
【００４７】
このように、本具体例においては、第１液晶シャッタ１０１に設けられる第２液晶シャッタ１０２と非対称な部分が、第１シール１５２によって形成される注入口である。非対称な部分（本具体例では注入口）は、目視で判別可能な大きさである。具体的には、非対称な部分（本具体例では注入口）の大きさは、１．０ミリメートル（ｍｍ）以上である。これにより、注入口の位置が目視で容易に判別でき、間違いが防止し易くなり生産性を向上できる。さらに、非対称な部分（本具体例では注入口）の大きさは、２．０ｍｍ以上とすることがさらに望ましい。これにより、目視による判別がさらに容易になる。なお、この注入口の大きさが大きくなりすぎると、中間部の厚さにむらが生じる恐れがあるため、注入口の大きさは５．０ｍｍ以下とすることが望ましい。
【００４８】
なお、本実施形態に係る眼鏡用液晶シャッタセット１０においては、左眼用液晶シャッタと、右眼用液晶シャッタと、の判別がシールの形状（例えば注入口の位置など）により行われるので、例えば、基板に設けられる識別マーク（例えば電極に用いられる材料などで形成される）よりも、より見易くできる。
【００４９】
すなわち、第１基板部１１０と第２基板部１２０との間に設けられる第１中間部１５０及び第２中間部１６０の厚さは、例えば約５マイクロメートル（μｍ）（すなわち、液晶層の厚さ）程度である。これに対し、基板上に設けられる電極用の導電膜などは、０．１μｍ程度以下であることが多い。本実施形態に係る眼鏡用液晶シャッタセット１０においては、厚さが厚くできる中間部（第１中間部１５０及び第２中間部１６０の少なくともいずれか）を左右の判別マークとして使用することで、より見易いマークが実現できる。そして、このような中間部を利用した識別マークとして、シールを用いることで、追加される新たな材料もないため、生産性も高い。
【００５０】
このように、本実施形態に係る眼鏡用液晶シャッタセット１０によれば、左眼用液晶シャッタと、右眼用液晶シャッタと、の判別が容易で、高生産性の眼鏡用液晶シャッタセットが提供できる。
【００５１】
（第２の実施の形態）  
図５は、第２の実施形態に係る眼鏡用液晶シャッタセットの構成の概要を例示する模式的斜視図である。  
図６（ａ）及び図６（ｂ）は、第２の実施形態に係る眼鏡用液晶シャッタセットの構成を例示する模式的断面図である。  
すなわち、図６（ａ）は、図５のＡ１−Ａ２線断面図であり、図６（ｂ）は図５のＢ１−Ｂ２線断面図である。
【００５２】
図５、図６（ａ）及び図６（ｂ）に表したように、本実施形態に係る眼鏡用液晶シャッタセット１１も第１液晶シャッタ１０１及び第２液晶シャッタ１０２を備える。なお、図５においては、第１シール１５２及び第２シール１６２が省略されている。
【００５３】
眼鏡用液晶シャッタセット１１においては、第１液晶シャッタ１０１の第１中間部１５０は、第１トランスファ導電部１５３をさらに有しており、第２液晶シャッタ１０２の第２中間部１６０は、第２トランスファ導電部１６３をさらに有している。
【００５４】
そして、本具体例では、第１トランスファ導電部１５３の位置が、第２トランスファ導電部１６３の位置と、非対称である。すなわち、本具体例では、第１中間部１５０に含まれる第１トランスファ導電部１５３の位置が、第２中間部１６０に含まれる第２トランスファ導電部１６３の位置に対して非対称である。なお、このように、第１トランスファ導電部１５３の位置が第２トランスファ導電部１６３の位置と非対称であるため、第１シール１５２と第２シール１６２とは互いに対称でも良い。なお、さらに、第１シール１５２と第２シール１６２とが互いに非対称でも良い。
【００５５】
第１トランスファ導電部１５３と第２トランスファ導電部１６３とが互いに非対称であることにより、左眼用液晶シャッタと、右眼用液晶シャッタと、の判別が容易になり、高生産性の眼鏡用液晶シャッタセットが提供できる。
【００５６】
図６（ａ）に例示したように、例えば第２基板部１２０には、接続端子用電極１２４が設けられ、第１基板部１１０の第１電極１１２と、第２基板部１２０の接続端子用電極１２４と、が第１トランスファ導電部１５３により電気的に接続される。これにより、第１液晶シャッタ１０１においては、第２基板部１２０の側だけに電気信号を供給することで第１液晶シャッタ１０１が動作し、電気的接続が容易になる。なお、逆に、第１基板部１１０に接続端子用電極を設け、第２基板部１２０の第２電極１２２と、第１基板部１１０の接続端子用電極と、が第１トランスファ導電部１５３により電気的に接続されても良い。
【００５７】
一方、図６（ｂ）に表したように、例えば第４基板部１４０には、接続端子用電極１４４が設けられ、第３基板部１３０の第３電極１３２と、第４基板部１４０の接続端子用電極１４４と、が第２トランスファ導電部１６３により電気的に接続される。これにより、第２液晶シャッタ１０２においては、第４基板部１４０の側だけに電気信号を供給することで第２液晶シャッタ１０２が動作し、電気的接続が容易になる。なお、逆に、第３基板部１３０に接続端子用電極を設け、第４基板部１４０の第４電極１４２と、第３基板部１３０の接続端子用電極と、が第２トランスファ導電部１６３により電気的に接続されても良い。
【００５８】
このように、第１中間部１５０は、第１基板部１１０に設けられる導電膜と、第２基板部１２０に設けられる導電膜と、を電気的に接続する第１導電部材（第１トランスファ導電部１５３）を含む、並びに、第２中間部１６０は、第３基板部１３０に設けられる導電膜と、第４基板部１４０に設けられる導電膜と、を電気的に接続する第２導電部材（第２トランスファ導電部１６３）を含む、の少なくともいずれかとすることができる。
【００５９】
そして、基板部の間で電気的な接続を移行させる第１トランスファ導電部１５３及び第２トランスファ導電部１６３において、互いに非対称の関係を適用することで、左眼用液晶シャッタ（例えば第１液晶シャッタ１０１）と、右眼用液晶シャッタ（第２液晶シャッタ１０２）と、の判別が容易になり、高生産性の眼鏡用液晶シャッタセットが提供できる。
【００６０】
第１トランスファ導電部１５３及び第２トランスファ導電部１６３は、目視でその存在位置の判別が可能な大きさである。具体的には、第１トランスファ導電部１５３及び第２トランスファ導電部１６３の少なくともいずれかの大きさは、例えば約１．０ｍｍである。これにより、第１トランスファ導電部１５３及び第２トランスファ導電部１６３の少なくともいずれかの位置が目視で容易に判別でき、間違いが防止し易くなり生産性を向上できる。なお、このトランスファ導電部の存在位置自体は、その大きさが１．０ｍｍよりも小さくても判別は十分に可能である。
【００６１】
例えば、第１液晶シャッタ１０１と、第２液晶シャッタ１０２と、のいずれか一方にトランスファ導電部を設けることができる。これにより、第１液晶シャッタ１０１と、第２液晶シャッタ１０２と、の判別は容易になる。
【００６２】
また、第１トランスファ導電部１５３及び第２トランスファ導電部１６３の両方が設けられる場合においては、第１トランスファ導電部１５３及び第２トランスファ導電部１６３の位置、形状、色及び大きさの少なくともいずれかが非対称とされる。
【００６３】
なお、第１トランスファ導電部１５３は、複数の導電部を有することができる。このような場合には、複数の導電部の全体が第１トランスファ導電部１５３と見なされる。また、第２トランスファ導電部１６３も、複数の導電部を有することができる。このような場合には、複数の導電部の全体が第２トランスファ導電部１６３と見なされる。複数設けられる導電部の数や配置の違いは、形状の違いに含められる。
【００６４】
このような第１トランスファ導電部１５３及び第２トランスファ導電部１６３は、上記のように、電極どうしを電気的に接続する機能を有すると共に、識別マークとして機能することができる。
【００６５】
すなわち、第１中間部１５０及び第２中間部１６０の少なくともいずれかは、中間部識別マーク（例えば第１トランスファ導電部１５３及び第２トランスファ導電部１６３）をさらに含み、中間部識別マークは、第１中間部１５０と第２中間部１６０とで異なる。
【００６６】
すなわち、中間部識別マークの有無は、第１中間部１５０と第２中間部１６０とで異なる、中間部識別マークの位置は、第１中間部１５０と第２中間部１６０とで非対称である、中間部識別マークの形状は、第１中間部１５０と第２中間部１６０とで非対称である、中間部識別マークの色は、第１中間部１５０と第２中間部１６０とで異なる、並びに、中間部識別マークの大きさは、第１中間部１５０と第２中間部１６０とで異なる、の少なくともいずれかとすることができる。
【００６７】
これにより、左眼用液晶シャッタと、右眼用液晶シャッタと、の判別が容易になり、高生産性の眼鏡用液晶シャッタセットが提供できる。
【００６８】
なお、上記においては、中間部識別マークとして第１トランスファ導電部１５３及び第２トランスファ導電部１６３の少なくともいずれかを用いる場合として説明したが、中間部識別マークに適用される構成及び材料は任意である。
【００６９】
（第３の実施の形態）  
図７は、第３の実施形態に係る眼鏡用液晶シャッタセットの構成の概要を例示する模式的斜視図である。  
図７に表したように、本実施形態に係る眼鏡用液晶シャッタセット１２も第１液晶シャッタ１０１及び第２液晶シャッタ１０２を備える。なお、図７においては、第１シール１５２及び第２シール１６２が省略されている。
【００７０】
眼鏡用液晶シャッタセット１２においては、中間部識別マークが設けられている。具体的には、第１液晶シャッタ１０１に第１中間部識別マーク１５８が設けられ、第２液晶シャッタ１０２に第２中間部識別マーク１６８が設けられている。
【００７１】
すなわち、第１中間部１５０及び第２中間部１６０の少なくともいずれかは、中間部識別マークをさらに含んでいる。そして、中間部識別マークは、第１中間部１５０と第２中間部１６０とで異なる。
【００７２】
既に説明したように、中間部識別マークの有無は、第１中間部１５０と第２中間部１６０とで異なる、中間部識別マークの位置は、第１中間部１５０と第２中間部１６０とで非対称である、中間部識別マークの形状は、第１中間部１５０と第２中間部１６０とで非対称である、中間部識別マークの色は、第１中間部１５０と第２中間部１６０とで異なる、並びに、中間部識別マークの大きさは、第１中間部１５０と第２中間部１６０とで異なる、の少なくともいずれかとされる。なお、上記において、中間部識別マークの形状は、中間部識別マークに含まれる独立した中間部サブマークの個数を含むことができる。
【００７３】
本具体例では、第１中間部識別マーク１５８の位置が、第２中間部識別マーク１６８の位置とは異なる。中間部識別マーク（第１中間部識別マーク１５８及び第２中間部識別マーク１６８）は、第１シール１５２及び第２シール１６２の少なくともいずれかに用いられる材料と同じ材料で形成されることができる。これにより、中間部に、左右を判別するための識別マークを、簡単に、見易く、設けることができる。
【００７４】
また、中間部識別マーク（第１中間部識別マーク１５８及び第２中間部識別マーク１６８）は、トランスファの材料を適用することもできる。  
すなわち、中間部識別マークは、第１導電部材（第１トランスファ導電部１５３）及び第２導電部材（第２トランスファ導電部１６３）の少なくともいずれか、並びに、第１導電部材及び第２導電部材に用いられる材料を含む専用中間部識別マーク（例えば第１中間部識別マーク１５８及び第２中間部識別マーク１６８）が、の少なくともいずれかを含むことができる。
【００７５】
（第４の実施の形態）  
図８は、第４の実施形態に係る眼鏡用液晶シャッタセットの構成の概要を例示する模式的斜視図である。  
図８に表したように、本実施形態に係る眼鏡用液晶シャッタセット１３も第１液晶シャッタ１０１及び第２液晶シャッタ１０２を備える。なお、図８においては、第１シール１５２及び第２シール１６２が省略されている。
【００７６】
眼鏡用液晶シャッタセット１３においては、基板部識別マークが設けられている。具体的には、第１液晶シャッタ１０１に第１基板部識別マーク１１８が設けられ、第２液晶シャッタ１０２に第２基板部識別マーク１３８が設けられている。
【００７７】
そして、本具体例では、第１基板部識別マーク１１８の位置は、第２基板部識別マーク１３８の位置とは非対称である。  
すなわち、第１基板部１１０及び第２基板部１２０の少なくともいずれかは、第３基板部１３０及び第４基板部１４０の少なくともいずれかに対して非対称な部分を有する。本具体例では、第１基板部識別マーク１１８が、第１基板部１１０における第３基板部１３０に対して非対称な部分である。
【００７８】
第１基板部識別マーク１１８及び第２基板部識別マーク１３８には、例えば、第１電極１１２及び第３電極１３２に電気的にそれぞれ接続される金属電極となる金属膜などを所定のパターンに加工したものが用いられる。
【００７９】
ただし、本実施形態はこれに限らず、第１基板部識別マーク１１８及び第２基板部識別マーク１３８には、導電性または絶縁性の目視で有無や形状が判別可能な任意の材料を用いることができる。また、その形成方法も、成膜とエッチングの他に印刷など任意の手法を適用できる。例えば、第１基板部識別マーク１１８及び第２基板部識別マーク１３８には、例えば、第１基板１１１及び第３基板１３１のそれぞれにレーザなどによって加工された部分を適用しても良い。
【００８０】
このように、本実施形態に係る眼鏡用液晶シャッタセット１３においては、第１基板部１１０及び第２基板部１２０の少なくともいずれかが、第３基板部１３０及び第４基板部１４０の少なくともいずれかに対して非対称な部分を有することで、左眼用液晶シャッタと右眼用液晶シャッタとの判別が容易で、高生産性の眼鏡用液晶シャッタセットを提供できる。
【００８１】
例えば、第１基板部１１０は、第２基板部１２０に対向する第１主面に設けられた第１電極１１２を有し、第２基板部１２０は、第１基板部１１０に対向する第２主面に設けられた第２電極１２２を有し、第３基板部１３０は、第４基板部１４０に対向する第３主面に設けられた第３電極１３２を有し、第４基板部１４０は、第３基板部１３０に対向する第４主面に設けられた第４電極１４２を有しており、第１電極１１２及び第２電極１２２の少なくともいずれかの形状は、第３電極１３２及び第４電極１４２の少なくともいずれかの形状と非対称とすることができる。
【００８２】
また、第１基板部１１０、第２基板部１２０、第３基板部１３０及び第４基板部１４０の少なくともいずれかは、基板部識別マーク（第１基板部識別マーク１１８及び第２基板部識別マーク１３８など）を含み、この基板部識別マークは、第１液晶シャッタ１０１と第２液晶シャッタ１０２とで異なることができる。
【００８３】
そして、この基板部識別マークの有無は、第１液晶シャッタ１０１と第２液晶シャッタ１０２とで異なる、基板部識別マークの位置は、第１液晶シャッタ１０１と第２液晶シャッタ１０２とで非対称である、基板部識別マークの形状は、第１液晶シャッタ１０１と第２液晶シャッタ１０２とで非対称である、基板部識別マークの色は、第１液晶シャッタ１０１と第２液晶シャッタ１０２とで異なる、並びに、基板部識別マークの大きさは、第１液晶シャッタ１０１と第２液晶シャッタ１０２とで異なる、の少なくともいずれかとすることができる。なお、基板部識別マークの上記の形状は、基板部識別マークに含まれる独立した基板部サブマークの個数を含むことができる。
【００８４】
また、第１基板１１１及び第２基板１２１の少なくともいずれかが、第３基板１３１及び第４基板１４１の少なくともいずれかに対して非対称な部分を有していても良い。この場合には、例えば、第１液晶シャッタ１０１の外形と、第２液晶シャッタ１０２の外形と、が互いに鏡面対称の関係でなくなる。これにより、左右の判別ができる。なお、このように、第１液晶シャッタ１０１の外形と、第２液晶シャッタ１０２の外形と、が鏡面対称でない場合には、液晶シャッタ眼鏡２０のフレームなどには、第１液晶シャッタ１０１及び第２液晶シャッタ１０２の外形に適合する設計が適用される。
【００８５】
このように、第１基板部１１０及び第２基板部１２０の少なくともいずれかが、第３基板部１３０及び第４基板部１４０の少なくともいずれかに対して非対称な部分を有することで、左眼用液晶シャッタと右眼用液晶シャッタとの判別が容易となる。
【００８６】
（第５の実施の形態）  
第５の実施の形態は、眼鏡用液晶シャッタセットの製造方法である。  
本製造方法は、左右の一方の眼用の第１液晶シャッタ１０１と、左右の他方の眼用の第２液晶シャッタ１０２と、を含む眼鏡用液晶シャッタセットの製造方法である。第１液晶シャッタ部１０１は、第１基板部１１０と、第２基板部１２０と、第１基板部１１０と第２基板部１２０との間に設けられ、第１液晶層１５１と第１中間部材とを含む第１中間部１５０と、を含む。第２液晶シャッタ部１０２は、第３基板部１３０と、第４基板部１４０と、第３基板部１３０と第４基板部１４０との間に設けられ、第２液晶層１６１と第２中間部材とを含む第２中間部１６０と、を含む。
【００８７】
ここで、第１中間部材は、例えば、第１シール１５２を含む。第１中間部材は、例えば第１トランスファ導電部１５３を含んでも良い。ここで、第２中間部材は、例えば、第２シール１６２を含む。第２中間部材は、例えば第２トランスファ導電部１６３を含んでも良い。
【００８８】
図９（ａ）、図９（ｂ）、図１０（ａ）及び図１０（ｂ）は、第５の実施形態に係る眼鏡用液晶シャッタセットの製造方法を例示する模式的斜視図である。  
図９（ａ）に表したように、本製造方法では、第１元基板１１０ｓ及び第２元基板１２０ｓが用いられる。第１元基板１１０ｓは、第１基板１１１（第１基板部１１０）及び第３基板１３１（第３基板部１３０）となる。すなわち、第１元基板１１０ｓが分断されて、第１基板１１１及び第３基板１３１が形成される。また、第２元基板１２０ｓは、第２基板１２１（第２基板部１２０）及び第４基板１４１（第４基板部１４０）となる。すなわち、第２元基板１２０ｓが分断されて、第２基板１２１及び第４基板１４１が形成される。
【００８９】
第１元基板１１０ｓは、それぞれが第１基板部１１０の一部となる複数の第１層と、それぞれが第３基板部１３０の一部となる複数の第３層と、を有する。  
なお、第１元基板１１０ｓが分断されて、第１基板１１１及び第４基板１４１が形成されても良い。すなわち、第１元基板１１０ｓは、それぞれが第１基板部１１０の一部となる複数の第１層と、それぞれが第３基板部１３０及び第４基板部１４０の一方の一部となる複数の第３層と、を有することができる。以下では、複数の第３層のそれぞれが第３基板部１３０の一部となる場合として説明する。
【００９０】
一方、第２元基板１２０ｓは、それぞれが第２基板部１２０の一部となる複数の第２層と、それぞれが第４基板部１４０の一部となる複数の第４層と、を有する。  
なお、第２元基板１２０ｓが分断されて、第２基板１２１及び第３基板１３１が形成されても良い。すなわち、第２元基板１２０ｓは、それぞれが第２基板部１２０の一部となる複数の第２層と、それぞれが第３基板部１３０及び第４基板部１４０の他方の一部となる複数の第４層と、を有することができる。以下では、複数の第４層のそれぞれが第４基板部１４０の一部となる場合として説明する。
【００９１】
第１層は、例えば、第１電極１１２を含む、また、第１層は、第１配向膜１１３をさらに含んでも良い。第３層は、例えば、第３電極１３２を含む、また、第３層は、第３配向膜１３３をさらに含んでも良い。
【００９２】
第２層は、例えば、第２電極１２２を含む、また、第２層は、第２配向膜１２３をさらに含んでも良い。第４層は、例えば、第４電極１４２を含む、また、第４層は、第４配向膜１４３をさらに含んでも良い。
【００９３】
図９（ａ）に表したように、例えば、第１層と第３層とは交互に配置されている。また、例えば、第２層と第４層とは交互に配置されている。  
なお、本具体例では、第１元基板１１０ｓに、２つの第１層と、２つの第３層と、が設けられているが、第１層の数と、第３層の数と、は任意である。また、本具体例では、第１層及び第３層が１つの方向（例えば横方向）に並んでいるが、１つの方向と、さらにその方向とは別の方向（例えば縦方向）と、に並んでも良い。
【００９４】
同様に、本具体例では、第２元基板１２０ｓに、２つの第２層と、２つの第４層と、が設けられているが、第２層の数と、第４層の数と、は任意である。また、本具体例では、第２層及び第４層が１つの方向（例えば横方向）に並んでいるが、１つの方向と、さらにその方向とは別の方向（例えば縦方向）と、に並んでも良い。
【００９５】
図９（ａ）に表したように、第１元基板１１０ｓ及び第２元基板１２０ｓに、液晶配列方向１１１ａ、１２１ａ、１３１ａ及び１４１ａに沿って、例えばラビング処理が行われる。
【００９６】
この後、図９（ｂ）に表したように、第１元基板１１０ｓの第１主面において、第１層に対応する位置に第１中間部材を形成し、第３層に対応する位置に第２中間部材を形成する。本具体例では、第１中間部材は、第１シール１５２となる樹脂である。そして、第２中間部材は、第２シール１６２となる樹脂である。
【００９７】
第１中間部材において、第１シール１５２の分断部が設けられ、この分断部が第１注入口１５２ａとなる。また、第２中間部材において、第２シール１６２の分断部が設けられ、この分断部が第２注入口１６２ａとなる。
【００９８】
そして、第１シール１５２の分断部（第１注入口１５２ａ）の位置と、第２シール１６２の分断部（第２注入口１６２ａ）の位置とが、互いに非対称である。
【００９９】
すなわち、本実施形態に係る製造方法においては、第１中間部材の形状と、第２中間部材の形状と、が互いに非対称である。
【０１００】
なお、上記においては、第１元基板１１０ｓにシールとなる樹脂を設けたが、第２元基板１２０ｓにシールとなる樹脂を設けても良い。
【０１０１】
また、本具体例においては、例えば、第１元基板１１０ｓの端部に、第１中間部材及び第２中間部材の少なくともいずれかに用いられる材料によって、端部マーク１５２ｄが一緒に設けられている。端部マーク１５２ｄに関しては後述する。
【０１０２】
その後、第２元基板１２０ｓの第２主面と、第１元基板１１０ｓの第１主面と、を対向させて、第１主面と第２主面との間に第１液晶層と第２液晶層となる液晶材料を導入する。
【０１０３】
本具体例では、図１０（ａ）に表したように、第１元基板１１０ｓと第２元基板１２０ｓとを互いに対向させて組み立て、第１中間部材の第１シール１５２と、第２中間部材の第２シール１６２と、を硬化させて、第１元基板１１０ｓと第２元基板１２０ｓとを接着する。
【０１０４】
このようにして組み立てられた第１元基板１１０ｓ及び第２元基板１２０ｓを、例えば、減圧雰囲気中に配置し、第１元基板１１０ｓと第２元基板１２０ｓとの端部から開口する第１注入口１５２ａ及び第２注入口１６２ａを、液晶材料が収容された液晶ポット１７０に漬ける。その後、雰囲気を大気圧に戻すことにより、第１元基板１１０ｓ及び第２元基板１２０ｓとの間に液晶材料が注入（導入）される。
【０１０５】
そして、注入口を封止した後、図１０（ｂ）に表したように、第１元基板１１０ｓ及び第２元基板１２０ｓを分断する。すなわち、第１元基板１１０ｓ及び第２元基板１２０ｓを分断して、第１基板部１１０、第２基板部１２０、第３基板部１３０及び第４基板部１４０とを形成する。これにより、第１液晶シャッタ１０１及び第２液晶シャッタ１０２が得られる。
【０１０６】
このように、本実施形態に係る眼鏡用液晶シャッタセットの製造方法においては、第１中間部材の形状と、第２中間部材の形状と、が互いに非対称とされる。これにより、左眼用液晶シャッタと右眼用液晶シャッタとの判別が容易になり、高い生産性で眼鏡用液晶シャッタセットを製造することができる。
【０１０７】
すなわち、本実施形態においては、第１液晶シャッタ１０１に用いられる第１膜の形状と、第２液晶シャッタ１０２に用いられる第３膜の形状と、は互いに鏡面対称とすることができる。また、同様に、第２膜の形状と、第４膜の形状と、は互いに鏡面対称とすることができる。
このとき、第１中間部材の形状と、第２中間部材の形状と、を互いに非対称とすることで、第１液晶シャッタ１０１と、第２液晶シャッタ１０２と、の判別が容易となる。
【０１０８】
本実施形態においては、第１層の形状と第１中間部材の形状との差異と、第３層の形状と第２中間部材の形状との差異と、は互いに異なる。  
例えば、図９（ｂ）に例示したように、第１層である第１電極１１２の形状と、第１中間部材である第１シール１５２の形状と、の差異は、第３層である第３電極１３２の形状と、第２中間部材である第２シール１６２の形状と、の差異と、異なる。これにより、表裏が反転した場合にも第１液晶シャッタ１０１と、第２液晶シャッタ１０２と、の判別が容易となる。
【０１０９】
さらに、第１元基板１１０ｓ及び第２元基板１２０ｓの分断の際に、基板部の外形を非対称にしても良い。これによっても、表裏が反転した場合にも第１液晶シャッタ１０１と、第２液晶シャッタ１０２と、の判別が容易となる。
【０１１０】
このように、本実施形態においては、第１層の形状と第１中間部材の形状との差異と、第３層の形状と第２中間部材の形状との差異と、は互いに異なる、中間部材の形状と、第２中間部材の形状と、は互いに非対称である、並びに、第１基板部１１０及び第２基板部１２０の少なくともいずれかの外形と、第３基板部１３０及び第４基板部１４０の少なくともいずれかの外形と、は互いに非対称である、の少なくともいずれかとすることができる。
【０１１１】
例えば、第１中間部材は、第１液晶層１５１の周囲に配置される第１シール１５２を含み、第２中間部材は、第２液晶層１６１の周囲に配置される第２シール１６２を含み、第１シール１５２のパターン形状は、第２シール１６２のパターン形状と非対称な部分を有する。例えば、この非対称な部分は、第１シール１５２の不連続部分とすることができる。この不連続な部分は、例えば注入口として機能する。すなわち、この非対称な部分は、第１元基板１１０ｓの第１主面において第１シール１５２で囲われた領域の内部に液晶材料を導入する、第１シール１５２によって形成された注入口とすることができる。
【０１１２】
なお、上記は、第２シール１６２のパターン形状が、第１シール１５２のパターン形状と非対称な部分を有すると見なしても良く、例えば、この非対称な部分は、第２シール１６２の不連続部分とすることができ、この非対称な部分は、第１元基板１１０ｓの第１主面において第２シール１６２で囲われた領域の内部に液晶材料を導入する、第２シール１６２によって形成された注入口とすることができる。
【０１１３】
また、既に説明したように、シールパターンは、第２元基板１２０ｓに形成しても良く、この場合にも、第１シール１５２のパターン形状は、第２シール１６２のパターン形状と非対称な部分を有する。
【０１１４】
なお、注入口を第１液晶シャッタ１０１と第２液晶シャッタ１０２とで非対称な位置に設ける際には、注入口と配向方向（例えばラビング方向）との関係を適正化することによって、液晶の注入時間を短縮できる。
【０１１５】
すなわち、本実施形態に係る製造方法は、第１中間部材を形成し、第２中間部材を形成する工程の前に、第１主面に液晶材料の液晶分子を配向させるための工程をさらに備えることができる。そして、第１中間部材は、第１液晶層１５１の周囲に配置される第１シール１５２を含み、第２中間部材は、第２液晶層１６１の周囲に配置される第２シール１６２を含み、第１シール１５２のパターン形状は、第２シール１６２のパターン形状と非対称な部分（例えば注入口）を有する。そして、非対称な部分（例えば注入口）は、第１元基板１１０ｓの第１主面において第１シール１５２で囲われた領域の内部に液晶材料を導入する、第１シール１５２によって形成された注入口であり、その領域の中心から、注入口が設けられる位置に向かう方向は、液晶分子の長軸方向（すなわち、例えばラビング方向）に沿う方向（例えば実質的に平行な方向）とすることができる。これにより、注入時間を短縮でき、生産性がより向上する。
【０１１６】
なお、本具体例では、注入口の位置を第１液晶シャッタ１０１と第２液晶シャッタ１０２とで非対称にするため、第１液晶シャッタ１０１と第２液晶シャッタ１０２との組みの表裏を反転させると、反転後の注入口の位置は、反転前の注入口の位置から変化する。
【０１１７】
例えば、図１０（ａ）に例示した状態に対して、第１液晶シャッタ１０１と第２液晶シャッタ１０２との組みの表裏を反転させると、注入口は、液晶ポット１７０の位置からずれてしまい、適正な注入が行われなくなる。このように、注入時に表裏を反転させて間違って、第１液晶シャッタ１０１と第２液晶シャッタ１０２との組みを、液晶ポット１７０の上にセットしないために、第１液晶シャッタ１０１と第２液晶シャッタ１０２との組みにおいて、表裏（例えば左右）の印を設けることが望ましい。
【０１１８】
例えば、図９（ｂ）に例示したように、第１元基板１１０ｓの一方の端部に、シールとなる材料で印（端部マーク１５２ｄ）を形成することができる。これにより、図１０（ａ）に表したように、正しい表裏の配置によって第１液晶シャッタ１０１と第２液晶シャッタ１０２との組みをセットした場合は、形成した端部マーク１５２ｄは、一方の端に位置する。そして表裏を反転させて誤ってセットした場合には、形成した端部マーク１５２ｄは他方の端に位置する。
【０１１９】
シールでなどの中間部材による印は、基板に設ける印などよりも目立ち易いため、第１液晶シャッタ１０１と第２液晶シャッタ１０２との組みを間違ってセットすることが効果的に抑制できる。
【０１２０】
また、本実施形態において、中間部材として、トランスファ導電部を用いても良い。すなわち、第１中間部材は、第１導電部材（第１トランスファ導電部１５３）を含み、第２中間部材は、第２導電部材（第２トランスファ導電部１６３）を含むことができる。そして、第１導電部材のパターン形状は、第２導電部材のパターン形状と非対称な部分を有することができる。
【０１２１】
また、中間部材として、シール材に用いられる材料やトランスファ導電部に用いられる材料を用いて、シールやトランスファとは別の独立した印（例えば上記の端部マーク１５２ｄ）を形成しても良い。
【０１２２】
このような場合も、第１液晶シャッタ１０１に含まれる第１中間部材の形状と、第２液晶シャッタ１０２に含まれる第２中間部材の形状と、を互いに非対称にすることで、第１液晶シャッタ１０１と第２液晶シャッタ１０２との判別が容易になり、高い生産性で眼鏡用液晶シャッタセットを製造することができる。
【０１２３】
本実施形態においては、第１層の形状と第３層の形状とが互いに異なって設定される。例えば、複数の第１層は、第１液晶層１５１に電圧を印加するための複数の第１電極１１２を含み、複数の第３層は、第２液晶層１６１に電圧を印加するための複数の第３電極１３２を含み、複数の第１電極１１２のそれぞれのパターン形状は、複数の第３電極１３２のそれぞれのパターン形状と非対称な部分を含むことができる。
【０１２４】
また、本実施形態に係る製造方法は、第１〜第４層を形成する工程をさらに備えることができる。  
すなわち、本製造方法は、第１中間部材を形成し、第２中間部材を形成する工程の前に、複数の第１層と、複数の第３層と、を形成する工程をさらに備える。そして、複数の第１層の形成は、第１液晶層１５１に電圧を印加するための複数の第１電極１１２を形成する工程を含み、複数の第３層の形成は、第２液晶層１６１に電圧を印加するための複数の第３電極１３２を形成する工程を含むことができる。このとき、複数の第１電極１１２を形成する工程は、複数の第１電極１１２となる材料を用いて第１基板部識別マーク１１８を形成する工程を含むことができる。
【０１２５】
また、複数の第３電極１３２を形成する工程は、複数の第３電極１３２となる材料を用いて第２基板部識別マーク１３８を形成する工程を含むことができる。  
そして、第１基板部識別マーク１１８の位置は、第２基板部識別マーク１３８と非対称である、第１基板部識別マーク１１８の形状は、第２基板部識別マーク１２３と非対称である、第１基板部識別マーク１１８の色は、第２基板部識別マーク１２３と異なる、並びに、第１基板部識別マーク１１８の大きさは、第２基板部識別マーク１２３と異なる、の少なくともいずれかとされる。
【０１２６】
また、本実施形態に係る製造方法は、第１中間部材を形成し、第２中間部材を形成する工程の前に、複数の第１層と、複数の第３層と、を形成する工程をさらに備え、複数の第１層の形成は、第１層識別マーク（例えば第１基板部識別マーク１１８）を形成する工程を含むことができる。
【０１２７】
そして、複数の第３層の形成は、第３層識別マーク（例えば第２基板部識別マーク１３８）を形成する工程を含むことができる。そして、第１層識別マークの位置は、第３層識別マークと非対称である、第１層識別マークの形状は、第３層識別マークと非対称である、第１層識別マークの色は、第３層識別マークと異なる、並びに、第１層識別マークの大きさは、第３層識別マークと異なる、の少なくもいずれかとされる。
【０１２８】
また、実施形態に係る眼鏡用液晶シャッタセットは、第１液晶シャッタ１０１と第２液晶シャッタ１０２とを備え、第１液晶シャッタ１０１及び第２液晶シャッタ１０２の少なくとも一方には、識別マークが組み込まれる。この識別マークは、位置、有無、形状（個数を含む）及び大きさの関係のうちの少なくともいずれか１つが、第１液晶シャッタ１０１と第２液晶シャッタ１０２とで非対称の関係にある。これにより、第１液晶シャッタ１０１と第２液晶シャッタ１０２との判別が容易になる。
【０１２９】
例えば、第１液晶シャッタ１０１及び第２液晶シャッタ１０２の形状のそれぞれが、対称軸を持たない形状とすることができる。この場合には、識別マークに関する、位置、有無、形状（個数を含む）及び大きさの関係のうちの少なくともいずれか１つが、第１液晶シャッタ１０１と第２液晶シャッタ１０２とで非対称の関係である。これにより、第１液晶シャッタ１０１及び第２液晶シャッタ１０２の判別と共に、表裏の判別ができる。
【０１３０】
また、識別マークは、位置、有無、形状（個数を含む）及び大きさの関係のうちいずれか２つ以上を、第１液晶シャッタ１０１と第２液晶シャッタ１０２とで非対称の関係とすることができる。これにより、第１液晶シャッタ１０１と第２液晶シャッタ１０２との判別、並びに、それらの表裏の判別が容易になる。
【０１３１】
例えば、第１液晶シャッタ１０１及び第２液晶シャッタ１０２の形状のそれぞれが、対称軸を有する形状の場合において、識別マークに関する、位置、有無、形状（個数を含む）及び大きさの関係のうちの少なくともいずれか２つが、第１液晶シャッタ１０１と第２液晶シャッタ１０２とで非対称の関係である。これにより、第１液晶シャッタ１０１及び第２液晶シャッタ１０２の判別と共に、表裏の判別ができる。
【０１３２】
以上のように、実施形態によれは、左眼用液晶シャッタと右眼用液晶シャッタとの判別が容易で、高生産性の眼鏡用液晶シャッタセット及びその製造方法が提供される。
【０１３３】
以上、具体例を参照しつつ、本発明の実施の形態について説明した。しかし、本発明は、これらの具体例に限定されるものではない。眼鏡用液晶シャッタセットに含まれる、基板部、中間部、電極、配向膜、液晶層、シール、トランスファ導電部等の各要素の具体的な構成に関しては、当業者が公知の範囲から適宜選択することにより本発明を同様に実施し、同様の効果を得ることができる限り、本発明の範囲に包含される。
【０１３４】
その他、本発明の実施の形態として上述した眼鏡用液晶シャッタセット及びその製造方法を基にして、当業者が適宜設計変更して実施し得る全ての眼鏡用液晶シャッタセット及びその製造方法も、本発明の要旨を包含する限り、本発明の範囲に属する。
【０１３５】
その他、本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含有される。
【０１３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３７】
１０、１１、１２、１３…眼鏡用液晶シャッタセット、  ２０…液晶シャッタ眼鏡、  １０１…第１液晶シャッタ、  １０２…第２液晶シャッタ、  １１０…第１基板部、  １１０ｓ…第１元基板、  １１１…第１基板、  １１１ａ…液晶配列方向、  １１２…第１電極、  １１３…第１配向膜、  １１５…第１光学フィルム、  １１５ａ…光軸、  １１８…第１基板部識別マーク、  １２０…第２基板部、  １２０ｓ…第２元基板、  １２１…第２基板、  １２１ａ…液晶配列方向、  １２２…第２電極、  １２３…第２配向膜、  １２４…接続端子用電極、  １２５…第２光学フィルム、  １２５ａ…光軸、  １３０…第３基板部、  １３１…第３基板、  １３１ａ…液晶配列方向、  １３２…第３電極、  １３３…第３配向膜、  １３５…第３光学フィルム、  １３５ａ…光軸、  １３８…第２基板部識別マーク、  １４０…第４基板部、  １４１…第４基板、  １４１ａ…液晶配列方向、  １４２…第４電極、  １４３…第４配向膜、  １４４…接続端子用電極、  １４５…第４光学フィルム、  １４５ａ…光軸、  １５０…第１中間部、  １５１…第１液晶層、  １５２…第１シール、  １５２ａ…第１注入口、  １５２ｄ…端部マーク、  １５３…第１トランスファ導電部、  １５８…第１中間部識別マーク、  １６０…第２中間部、  １６１…第２液晶層、  １６２…第２シール、  １６２ａ…第２注入口、  １６３…第２トランスファ導電部、  １６８…第２中間部識別マーク、  １７０…液晶ポット、  ３０１…保持部、  ３０１ａ…中心線、  ３１０…左側フレーム、  ３１１…左側耳かけ部、  ３２０…右側フレーム、  ３２１…右側耳かけ部、  ３３０…連結部
【図１】
2012088369.tif 000003
【図２】
2012088369.tif 000004
【図３】
2012088369.tif 000005
【図４】
2012088369.tif 000006
【図５】
2012088369.tif 000007
【図６】
2012088369.tif 000008
【図７】
2012088369.tif 000009
【図８】
2012088369.tif 000010
【図９】
2012088369.tif 000011
【図１０】
2012088369.tif 000012